(57)【要約】      （修正有）【課題】耐久性に優れ、簡単に根から草を抜くことができる草抜き器具を提供する。【解決手段】本考案に係る草抜き器具は、手で把持することが可能な把持部と、把持部に接続された長尺状のシャフト部と、シャフト部の先端側に設けられた草抜き部３と、を有し、シャフト部と草抜き部とは、９２°以上１００°以下の角度をなしており、草抜き部は、鋭利な先端部３１と、把持部側に向かって鋭利な刃を備えた第一の刃部３２と、把持部とは反対側に向かって鋭利な第二の刃部３３と、を有している。また、草抜き部は、第一の刃部３２と交差するように設けられた複数の溝部３４を有している。【選択図】図３
0003233094.tif 000002
【実用新案登録請求の範囲】
【請求項１】
手で把持することが可能な把持部と、
前記把持部に接続された長尺状のシャフト部と、
前記シャフト部の先端側に設けられた草抜き部と、を有し、
前記シャフト部と前記草抜き部とは、９２°以上１００°以下の角度をなしており、
前記草抜き部は、鋭利な先端部と、前記把持部側に向かって鋭利な刃を備えた第一の刃部と、前記把持部とは反対側に向かって鋭利な第二の刃部と、前記第一の刃部と交差するように設けられた複数の溝部と、を有している、草抜き器具。
【請求項２】
前記把持部、前記シャフト部および前記草抜き部は、一体的に形成されている、請求項１に記載の草抜き器具。
【請求項３】
前記草抜き部の全長は、２０ｍｍ以上７５ｍｍ以下である、請求項１または２に記載の草抜き器具。
【請求項４】
前記第一の刃部の全長は、２０ｍｍ以上６５ｍｍ以下である、請求項１ないし３のいずれか１項に記載の草抜き器具。
【請求項５】
前記第二の刃部の全長は、２０ｍｍ以上７５ｍｍ以下である、請求項１ないし４のいずれか１項に記載の草抜き器具。
【考案の詳細な説明】
【技術分野】
【０００１】
本考案は、草抜き器具に関する。
【背景技術】
【０００２】
従来より、種々の手動式の草抜き器が提案されている。
例えば、先端に設けられたＶ字状の爪の間に草をひっかけて草を抜き取る草抜き器具が知られている（例えば、特許文献１参照）。
【０００３】
また、先端に開閉自在の草を掴む一対の爪を備え、当該爪で草を掴んで抜く構成の草抜き器具も知られている（例えば、特許文献２参照）。
【先行技術文献】
【特許文献】
【０００４】
【特許文献１】特開平１０−２２５２０１号公報
【特許文献２】実用新案登録第３１９４６６６号公報
【考案の概要】
【考案が解決しようとする課題】
【０００５】
しかしながら、特許文献１のようなＶ字状の爪でひっかけて草を抜き取る器具を用いた場合、地面から上の部分だけが除去されて、土の中の根が残ってしまい、十分な除草効果を得ることができない。
また、特許文献２のように挟んで抜くような器具である場合も、根が土の中に残ってしまい、また、複雑な構造をしているため、耐久性に問題がある。
【０００６】
そこで、本考案は、耐久性に優れ、簡単に根から草を抜くことができる草抜き器具を提供することを目的とする。
【課題を解決するための手段】
【０００７】
本考案に係る草抜き器具は、手で把持することが可能な把持部と、
前記把持部に接続された長尺状のシャフト部と、
前記シャフト部の先端側に設けられた草抜き部と、を有し、
前記シャフト部と前記草抜き部とは、９２°以上１００°以下の角度をなしており、
前記草抜き部は、鋭利な先端部と、前記把持部側に向かって鋭利な刃を備えた第一の刃部と、前記把持部とは反対側に向かって鋭利な第二の刃部と、前記第一の刃部と交差するように設けられた複数の溝部と、を有していることを特徴する。
【考案の効果】
【０００８】
本考案によれば、耐久性に優れ、簡単に根から草を抜くことができる草抜き器具を提供することができる。
【図面の簡単な説明】
【０００９】
【図１】本考案の一実施形態に係る草抜き器具の構成を示す正面図である。
【図２】図１に示す草抜き器具の左側面図（ａ）及び右側面図（ｂ）である。
【図３】図１に示す草抜き器具の先端の草抜き部の拡大図である。
【図４】図３に示すＸ−Ｙにおける断面図である。
【考案を実施するための形態】
【００１０】
以下、本考案に係る草抜き器具の好適な実施形態について説明する。
図１は、本考案の一実施形態に係る草抜き器具の構成を示す正面図、図２は、図１に示す草抜き器具の左側面図（ａ）及び右側面図（ｂ）、図３は、図１に示す草抜き器具の先端の草抜き部の拡大図、図４は、図３に示すＸ−Ｙにおける断面図である。
【００１１】
本考案に係る草抜き器具１０は、図１及び図２に示すように、手で把持することが可能な把持部１と、把持部１に接続された長尺状のシャフト部２と、シャフト部２の先端側に設けられた草抜き部３と、を有している。
【００１２】
本実施形態において、把持部１、シャフト部２および草抜き部３は、一体的に形成されている。すなわち、把持部１、シャフト部２および草抜き部３は、継ぎ目のない一本の丸棒で構成されている。これにより、草抜き器具１０はさらに高い耐久性を備えるものとなる。
また、草抜き器具１０を構成する丸棒は、Ｓ４５Ｃ、Ｓ５０Ｃ、ＳＳ４００等の鋼材で構成されている。
丸棒の径は、４ｍｍ以上１３ｍｍ以下であるのが好ましく、５ｍｍ以上１０ｍｍ以下であるのがより好ましい。
【００１３】
把持部１は、草抜き器具１０を使用する際に手で把持する部位である。
把持部１は、丸棒の一端側を曲げて形成されている。また、把持しやすいように、曲げた側の丸棒の先端が図１中の上側に向かってさらに曲げられている。すなわち、把持部１は、曲げた側の丸棒はＳ字となっている。
【００１４】
本実施形態に係る草抜き器具１０は、右手で草抜き器具１０を使用する構成となっている。すなわち、把持部１を右手で把持した際に、後述する草抜き部３の先端部３１が左側に向くように構成されている。なお、左手用の場合は、上記とは反対向きとなるよう構成する。。
把持部１の全長は、９０ｍｍ以上２００ｍｍ以下であるのが好ましく、１００ｍｍ以上１５０ｍｍ以下であるのがより好ましい。
【００１５】
シャフト部２は、長尺状をなしており、草抜き器具１０全体の長さを調整する部位である。
シャフト部２の全長は、特に限定されず、使用感を考慮して、１５０ｍｍ以上２５０ｍｍ以下であるのが好ましく、１６０ｍｍ以上２３０ｍｍ以下であるのがより好ましい。
【００１６】
草抜き部３は、草抜き器具１０の先端側に設けられている。
草抜き部３の全長（図３中のＬ１）は、特に限定されないが、２０ｍｍ以上７５ｍｍ以下であるのが好ましく、３０ｍｍ以上６０ｍｍ以下であるのがより好ましい。
【００１７】
草抜き部３は、図３に示すように、鋭利な先端部３１と、第一の刃部３２と、第二の刃部３３と、溝部３４とを有している。
先端部３１は、鋭利となっている。
第一の刃部３２は、先端部３１からシャフト部２との接続部近傍まで設けられ、把持部１側に向かって鋭利な刃を備えている。
【００１８】
このような先端部３１および第一の刃部３２を備えることで、草抜き部２を土の中に容易に潜り込ませることができるとともに、草の根を不用意に傷つけることなく、雑草を容易に除去することができる。
第一の刃部３２の全長は、２０ｍｍ以上６５ｍｍ以下であるのが好ましく、３０ｍｍ以上５０ｍｍ以下であるのがより好ましい。これにより、より容易に草を抜くことができる。
【００１９】
第二の刃部３３は、第一の刃部３２とは反対側に設けられており、把持部１とは反対側に向かって鋭利な刃を有している。
このような第二の刃部３３を備えることにより、第二の刃部３３で草を押し切ったり、砂利などに影響されずに、草抜きを行うことができる。また、第二の刃部３３側で突くことで、力を入れなくても、草を除去できたり、草抜き部３を土の中へより確実に潜り込ませたりすることができる。
第二の刃部３３の全長（図３中のＬ２）は、特に限定されないが、２０ｍｍ以上７５ｍｍ以下であるのが好ましく、３０ｍｍ以上６０ｍｍ以下であるのがより好ましい。これにより、より確実に根とともに草を引き抜くことができる。
【００２０】
図３及び図４に示すように、草抜き部３は、２つの溝部３４を有している。これにより、草抜き部３を土の中に刺して雑草を抜こうとする際に、溝部３４に根が確実に引っかかり、より効果的に雑草を根ごと除去することができる。なお、溝部３４の数は、２つに限定されず。３つ以上設けられていてもよい。
溝部３４は、図３及び図４に示すように第一の刃部３２と交差するように設けられている。すなわち、溝部３４は、第一の刃部３２から第二の刃部３３側に向かって刻まれている。また、溝部３４は、第一の刃部３２からシャフト部２側に向かって傾斜している。溝部３４と第一の刃部３２とのなす角度は、６５°以上８８°以下であるのが好ましく、７０°以上８５°以下であるのがより好ましい。これにより、溝部３４に根がより引っかかりやすくなる。
【００２１】
また、本実施形態では、一方の溝部３４が草抜き部３の中央部に設けられ、他方の溝部３４が一方の溝部３４よりもシャフト部２側に設けられている。このような構成とすることにより、２つの溝部３４に根が引っかかりやすくなり、さらに効果的に雑草を除去することができる。
【００２２】
草抜き部３は、シャフト部２となす角（図２中の角度Ａ）が、９２°以上１００°以下（より好ましくは９２°以上９６°以下）の角度をなすよう構成されている。このような構成とすることにより、草抜き部３を土の中へ確実に潜り込ませることができる。その結果、簡単に根から草を抜くことができる。
なお、図中の第一の刃部３２および第二の刃部３２は、右手で把持した場合に、刃の斜面が上側に向いている片刃であるが、両刃であってもよい。
【００２３】
以上、本考案の草抜き器具の好適な実施形態について説明したが、本考案はこれに限定されない。
上記実施形態では、右手で使用する場合の構成について説明したが、左手で使用する場合は、草抜き部３の向きや第一の刃部３２および第二の刃部３３の片刃の向きを変更すればよい。
【符号の説明】
【００２４】
１          把持部
２          シャフト部
３          草抜き部
１０        草抜き器具
３１        先端部
３２        第一の刃部
３３        第二の刃部
３４        溝部
【図１】
0003233094.tif 000003
【図２】
0003233094.tif 000004
【図３】
0003233094.tif 000005
【図４】
0003233094.tif 000006